(57)【要約】【課題】品質保持期限が切れた商品の収納状況を確認することができる自動販売機を提供すること。【解決手段】コラムに収納された商品ごとに品質保持期限を記憶し、品質保持期限が切れた商品が収納されているコラムからの商品の販売を中止する自動販売機において、コラムに収納された商品を期限管理リモコン５０のモニタ５１に個別に表示する表示手段５５と、期限リモコン５０のモニタ５１に表示された商品の表示のうち、品質保持期限が切れた商品の表示をその旨を表す表示に変更する表示変更手段５６とを備えるようにした。【選択図】        図６
2010055553.tif 000002
【特許請求の範囲】
【請求項１】
コラムに収納された商品ごとに品質保持期限を記憶し、品質保持期限が切れた商品が収納されているコラムからの商品の販売を中止自動販売機において、
コラムに収納された商品を個別に表示する表示手段と、
表示された商品の表示のうち、品質保持期限が切れた商品の表示をその旨を表す表示に変更する表示変更手段と
を備えたことを特徴とする自動販売機。
【請求項２】
前記表示手段は、複数のコラムに収納された商品をコラムごとに表示することを特徴とする請求項１に記載の自動販売機。
【請求項３】
コラムが複数のラックで構成されている場合に、前記表示手段は、複数のラックに収納された商品をラックごとに表示することを特徴とする請求項１または２に記載の自動販売機。
【請求項４】
品質保持期限に至るまでの期限切れ間近期間を設定する期限切れ間近期間設定手段と、
設定した期限切れ間近期間よりも品質保持期限に至るまでの期間が短くなった商品を期限切れ間近の商品と判定する期限切れ間近判定手段と
を備え、
前記表示変更手段は、表示された商品の表示のうち、期限切れ間近と判定された商品の表示をその旨を表す表示に変更することを特徴とする請求項１〜３のいずれか一つに記載の自動販売機。
【請求項５】
商品の加温開始から加温による商品の劣化に至るまでの加温劣化期間を設定する加温劣化期間設定手段と、
設定した加温劣化期間よりも長期間に亘り温められた状態で収納された商品を加温により劣化した商品と判定する加温劣化判定手段と
を備え、
前記表示変更手段は、表示された商品表示のうち、加温により劣化したと判定された商品の表示をその旨を表す表示に変更することを特徴とする請求項１〜４のいずれか一つに記載の自動販売機。
【請求項６】
品質保持期限が切れた商品が収納されているコラムの商品を優先して表示する表示制御手段を備えたことを特徴とする請求項１〜５のいずれか一つに記載の自動販売機。
【請求項７】
品質保持期限が切れた商品が収納されているコラムの商品のみを表示する表示制御手段を備えたことを特徴とする請求項１〜５のいずれか一つに記載の自動販売機。
【請求項８】
コラムに収納された商品ごとに品質保持期限を記憶し、品質保持期限が切れた商品が収納されているコラムからの商品の販売を中止する自動販売機において、
コラムに収納された商品のうち最も先に品質保持期限に至る商品の品質保持期限を出力する出力手段を備えたことを特徴とする自動販売機。
【請求項９】
コラムに収納された商品ごとに品質保持期限を記憶し、品質保持期限が切れた商品が収納されているコラムからの商品の販売を中止する自動販売機において、
品質保持期限が切れた商品が収納されているコラムからの商品の販売が中止され、かつ、本体キャビネットの前面開口を閉塞する外扉が開放された場合に、品質保持期限が切れた商品が収納されているコラムに関連付けられ、商品の選択が可能である場合に消灯し、商品の選択が不能である場合に点灯する売切表示手段を点灯させる期限切れコラム特定手段を備えたことを特徴とする自動販売機。
【請求項１０】
コラムごとに収納された商品ごとに品質保持期限を記憶し、品質保持期限が切れた商品が収納されているコラムからの商品の販売を中止する自動販売機において、
品質保持期限に至るまでの期限切れ間近期間を設定する期限切れ間近期間設定手段と、
設定した期限切れ間近期間よりも品質保持期限に至るまでの期間が短くなった商品を期限切れ間近の商品と判定する期限切れ間近判定手段と、
本体キャビネットの前面開口を閉塞する外扉が開放された場合に、期限切れ間近の商品と判定された商品が収納されているコラムに関連付けられ、商品の販売が不能である場合に消灯し、商品の販売が可能である場合に点灯する販売可能表示手段を点灯させる期限切れ間近コラム特定手段を備えたことを特徴とする自動販売機。
【請求項１１】
コラムに収納された商品ごとに品質保持期限を記憶し、品質保持期限が切れた商品が収納されているコラムからの商品の販売を中止する自動販売機において、
商品の加温開始から加温による商品の劣化に至るまでの加温劣化期間を設定する加温劣化期間設定手段と、
設定した加温劣化期間よりも長期間に亘り温められた状態で収納された商品を加温により劣化した商品と判定する加温劣化判定手段と、
払出コマンドを入力する払出コマンド入力手段と、
払出コマンドが入力された場合に、品質保持期限が切れた商品が収納されているコラムから品質保持期限が切れた商品を払い出すとともに、加温により劣化した商品と判定された商品が収納されているコラムから加温により劣化したと判定した商品を払い出す払出手段と
を備えたことを特徴とする自動販売機。
【請求項１２】
コラムに収納された商品ごとに品質保持期限を記憶し、品質保持期限が切れた商品が収納されているコラムからの商品の販売を中止する自動販売機において、
品質保持期限に至るまでの期限切れ間近期間を設定する期限切れ間近期間設定手段と、
設定した期限切れ間近期間よりも品質保持期限に至るまでの期間が短くなった商品を期限切れ間近の商品と判定する期限切れ間近判定手段と、
払出コマンドを入力する払出コマンド入力手段と、
払出コマンドが入力された場合に、期限切れ間近と判定された商品が収納されているコラムから期限切れ間近と判定した商品を払い出す払出手段と
を備えたことを特徴とする自動販売機。
【請求項１３】
コラムに収納された商品ごとに品質保持期限を記憶し、品質保持期限が切れた商品が収納されているコラムからの商品の販売を中止する自動販売機において、
商品の加温開始から加温による商品の劣化に至るまでの加温劣化期間を設定する加温劣化期間設定手段と、
加温劣化期間よりも短い期間であって、商品の加温開始から商品の劣化間近に至るまでの加温劣化間近期間を設定する加温劣化間近期間設定手段と、
設定した加温劣化間近期間よりも長期間であって加温劣化期間よりも短期間に亘り温められた状態で収納された商品を加温劣化間近商品と判定する加温劣化間近判定手段と、
払出コマンドを入力する払出コマンド入力手段と、
払出コマンドが入力された場合に、加温劣化間近商品と判定された商品が収納されているコラムから加温劣化間近商品と判定した商品を払い出す払出手段と
を備えたことを特徴とする自動販売機。
【発明の詳細な説明】
【技術分野】
【０００１】
本発明は、賞味期限、消費期限等の品質保持期限を商品ごとに管理する自動販売機に関するものである。
【背景技術】
【０００２】
賞味期限、消費期限等の品質保持期限を管理する自動販売機は、コラムに補充された商品をその補充の順に販売し、かつ、販売の都度、当該コラムの残存数を更新して記憶するものであって、商品補充時にコラム別の商品の補充数と補充した商品の品質保持期限とからなるデータを入力する入力手段（たとえば、リモコン）と、日時の切り替わり時に残存数とデータとを参照し、品質保持期限が切れた商品の残存するコラムからの商品の販売を停止させる手段と、期限切れ商品を搬出すべき旨の指令を操作入力する手段と、指令に基づいて期限切れ商品を搬出する手段とを備えている。
【０００３】
この自動販売機は、商品補充時に入力されたコラム別の商品の補充数と補充した商品の品質保持期限とにより、品質保持期限を商品ごとに管理することができ、商品の品質保持期限が切れた場合には、当該商品が残存するコラムからの商品の販売を停止する（売り切れ）。そして、商品補充時等に期限切れ商品を搬出すべき旨の指令が操作入力されると、販売が停止されたコラムから期限が切れた商品をすべて搬出する（たとえば、特許文献１参照）。
【０００４】
【特許文献１】特開平３−２７１８９１号公報
【発明の開示】
【発明が解決しようとする課題】
【０００５】
しかしながら、上述した自動販売機は、品質保持期限が切れた商品の収納状況を確認する術がない。このため、品質保持期限が切れた商品をいくつ払い出せばよいのかの判断が困難であった。
【０００６】
本発明は、上記実情に鑑みて、品質保持期限が切れた商品の収納状況を確認することができる自動販売機を提供することを目的とする。
【課題を解決するための手段】
【０００７】
上記の目的を達成するために、本発明の請求項１に係る自動販売機は、コラムに収納された商品ごとに品質保持期限を記憶し、品質保持期限が切れた商品が収納されているコラムからの商品の販売を中止する自動販売機において、コラムに収納された商品を個別に表示する表示手段と、表示された商品の表示のうち、品質保持期限が切れた商品の表示をその旨を表す表示に変更する表示変更手段とを備えたことを特徴とする。
【０００８】
また、本発明の請求項２に係る自動販売機は、上記請求項１において、前記表示手段は、複数のコラムに収納された商品をコラムごとに表示することを特徴とする。
【０００９】
また、本発明の請求項３に係る自動販売機は、上記請求項１または２において、コラムが複数のラックで構成されている場合に、前記表示手段は、複数のラックに収納された商品をラックごとに表示することを特徴とする。
【００１０】
また、本発明の請求項４に係る自動販売機は、上記請求項１〜３のいずれか一つにおいて、品質保持期限に至るまでの期限切れ間近期間を設定する期限切れ間近期間設定手段と、設定した期限切れ間近期間よりも品質保持期限に至るまでの期間が短くなった商品を期限切れ間近の商品と判定する期限切れ間近判定手段とを備え、前記表示変更手段は、表示された商品の表示のうち、期限切れ間近と判定された商品の表示をその旨を表す表示に変更することを特徴とする。
【００１１】
また、本発明の請求項５に係る自動販売機は、上記請求項１〜４のいずれか一つにおいて、商品の加温開始から加温による商品の劣化に至るまでの加温劣化期間を設定する加温劣化期間設定手段と、設定した加温劣化期間よりも長期間に亘り温められた状態で収納された商品を加温により劣化した商品と判定する加温劣化判定手段とを備え、前記表示変更手段は、表示された商品表示のうち、加温により劣化したと判定された商品の表示をその旨を表す表示に変更することを特徴とする。
【００１２】
また、本発明の請求項６に係る自動販売機は、上記請求項１〜５のいずれか一つにおいて、品質保持期限が切れた商品が収納されているコラムの商品を優先して表示する表示制御手段を備えたことを特徴とする。
【００１３】
また、本発明の請求項７に係る自動販売機は、上記請求項１〜５のいずれか一つにおいて、品質保持期限が切れた商品が収納されているコラムの商品のみを表示する表示制御手段を備えたことを特徴とする。
【００１４】
また、本発明の請求項８に係る自動販売機は、コラムに収納された商品ごとに品質保持期限を記憶し、品質保持期限が切れた商品が収納されているコラムからの商品の販売を中止する自動販売機において、コラムに収納された商品のうち最も先に品質保持期限に至る商品の品質保持期限を出力する出力手段を備えたことを特徴とする。
【００１５】
また、本発明の請求項９に係る自動販売機は、コラムに収納された商品ごとに品質保持期限を記憶し、品質保持期限が切れた商品が収納されているコラムからの商品の販売を中止する自動販売機において、品質保持期限が切れた商品が収納されているコラムからの商品の販売が中止され、かつ、本体キャビネットの前面開口を閉塞する外扉が開放された場合に、品質保持期限が切れた商品が収納されているコラムに関連付けられ、商品の選択が可能である場合に消灯し、商品の選択が不能である場合に点灯する売切表示手段を点灯させる期限切れコラム特定手段を備えたことを特徴とする。
【００１６】
また、本発明の請求項１０に係る自動販売機は、コラムごとに収納された商品ごとに品質保持期限を記憶し、品質保持期限が切れた商品が収納されているコラムからの商品の販売を中止する自動販売機において、品質保持期限に至るまでの期限切れ間近期間を設定する期限切れ間近期間設定手段と、設定した期限切れ間近期間よりも品質保持期限に至るまでの期間が短くなった商品を期限切れ間近の商品と判定する期限切れ間近判定手段と、本体キャビネットの前面開口を閉塞する外扉が開放された場合に、期限切れ間近の商品と判定された商品が収納されたコラムに関連付けられ、商品の販売が不能である場合に消灯し、商品の販売が可能である場合に点灯する販売可能表示手段を点灯させる期限切れ間近コラム特定手段を備えたことを特徴とする。
【００１７】
また、本発明の請求項１１に係る自動販売機は、コラムに収納された商品ごとに品質保持期限を記憶し、品質保持期限が切れた商品が収納されているコラムからの商品の販売を中止する自動販売機において、商品の加温開始から加温による商品の劣化に至るまでの加温劣化期間を設定する加温劣化期間設定手段と、設定した加温劣化期間よりも長期間に亘り温められた状態で収納された商品を加温により劣化した商品と判定する加温劣化判定手段と、払出コマンドを入力する払出コマンド入力手段と、払出コマンドが入力された場合に、品質保持期限が切れた商品が収納されているコラムから品質保持期限が切れた商品を払い出すとともに、加温により劣化した商品と判定された商品が収納されているコラムから加温により劣化したと判定した商品を払い出す払出手段とを備えたことを特徴とする。
【００１８】
また、本発明の請求項１２に係る自動販売機は、コラムに収納された商品ごとに品質保持期限を記憶し、品質保持期限が切れた商品が収納されているコラムからの商品の販売を中止する自動販売機において、品質保持期限に至るまでの期限切れ間近期間を設定する期限切れ間近期間設定手段と、設定した期限切れ間近期間よりも品質保持期限に至るまでの期間が短くなった商品を期限切れ間近の商品と判定する期限切れ間近判定手段と、払出コマンドを入力する払出コマンド入力手段と、払出コマンドが入力された場合に、期限切れ間近と判定された商品が収納されているコラムから期限切れ間近と判定した商品を払い出す払出手段とを備えたことを特徴とする。
【００１９】
また、本発明の請求項１３に係る自動販売機は、コラムに収納された商品ごとに品質保持期限を記憶し、品質保持期限が切れた商品が収納されているコラムからの商品の販売を中止する自動販売機において、商品の加温開始から加温による商品の劣化に至るまでの加温劣化期間を設定する加温劣化期間設定手段と、加温劣化期間よりも短い期間であって、商品の加温開始から商品の劣化間近に至るまでの加温劣化間近期間を設定する加温劣化間近期間設定手段と、設定した加温劣化間近期間よりも長期間であって加温劣化期間よりも短期間に亘り温められた状態で収納された商品を加温劣化間近商品と判定する加温劣化間近判定手段と、払出コマンドを入力する払出コマンド入力手段と、払出コマンドが入力された場合に、加温劣化間近商品と判定された商品が収納されているコラムから加温劣化間近商品と判定した商品を払い出す払出手段とを備えたことを特徴とする。
【発明の効果】
【００２０】
本発明に係る自動販売機は、コラムに収納された商品を個別に表示するとともに、表示された商品のうち、品質保持期限が切れた商品の表示をその旨を表す表示に変更するので、コラムの収納状況とともに、品質保持期限が切れた商品の収納状況を確認することができる。
【００２１】
本発明に係る自動販売機は、コラムに収納された商品のうち最も先に品質保持期限に至る商品の品質保持期限を出力するので、商品の補充等するオペレータは、コラムに収納された商品のうち最も先に品質保持期限が切れる商品の品質保持期限を知ることができる。
【００２２】
本発明に係る自動販売機は、品質保持期限が切れた商品がコラムに収納されている場合に、外扉を開放すれば、品質保持期限が切れた商品が収納されているコラムに関連付けられた売切表示手段を点灯させるので、商品の補充等するオペレータは、売切表示手段と対応する商品の品質保持期限が切れていることを知ることができる。
【００２３】
本発明に係る自動販売機は、期限切れ間近の商品と判定された商品がコラムに収納されている場合に、外扉を開放すれば、期限切れ間近の商品と判定された商品が収納されているコラムに関連付けられた販売中表示手段を点灯させるので、商品の補充等するオペレータは、販売中表示手段と体尾する商品が期限間近となっていることを知ることができる。
【発明を実施するための最良の形態】
【００２４】
以下に添付図面を参照して、本発明に係る自動販売機の好適な実施の形態を詳細に説明する。なお、この実施の形態によりこの発明が限定されるものではない。
【００２５】
図１は、自動販売機の正面図であり、図２は、外扉と内扉とを開放した状態を示す自動販売機の斜視図である。
【００２６】
本発明の実施の形態である自動販売機は、缶入り飲料、ビン入り飲料、ペットボトル入り飲料等の商品を販売する自動販売機であって、本体キャビネット１を有している。本体キャビネット１は、複数の鋼板を適宜組み合わせることにより、前面が開口した箱状を呈しており、本体キャビネット１の前面開口は、開閉可能な外扉２によって閉塞されるようになっている。
【００２７】
図２に示すように、本体キャビネット１の内部は、機械室３と商品収容室４とに画成され、商品収容室４は、断熱仕切板によってさらに三つの商品収納庫４ａ，４ｂ，４ｃに画成されている。商品収納庫４ａ，４ｂ，４ｃには、商品収納ラック５が収容してあり、商品収納ラック５に画成された通路（以下、この通路を便宜上ラックと称する）に商品が収納可能となっている。商品収納庫４ａ，４ｂ，４ｃは、商品収納庫ごとに商品を冷却あるいは加温可能であって、季節に対応して冷却と加温とを切り換えることができるようになっている。商品収納ラック５には、ラックごとにベンドソレノイドと売切スイッチが配設してある。ベンドソレノイドは、本体スレーブボックス３４により制御され、任意のラックから商品を搬出するようになっている。
【００２８】
図１に示すように、外扉２の前面右側中程には、ポップアップハンドル２１が設けてあり、外扉２を閉塞した状態で施錠できるようになっている。また、外扉２の前面上方部には、展示室２２が設けてあり、販売可能な商品の商品見本Ｄが展示してある。また、商品見本Ｄと対応するように選択ボタン２３が設けてある。選択ボタン２３は、選択ボタンスイッチのほか、販売可能ランプ、売切ランプを備えており、選択ボタン２３の押下により商品が選択されるようになっている。
【００２９】
また、図１に示すように、展示室２２の下方となる外扉２の中程には、硬貨投入口２４、紙幣挿入口２５、一体型表示器２６、返却レバー２７が設けてある。硬貨投入口２４は、硬貨を受け付けるための開口であって、硬貨投入口２４から投入された硬貨は、外扉２の背面内側に配設したコインメカニズム（硬貨処理装置）３１に収容されるようになっている（図２参照）。紙幣挿入口２５は、紙幣を受け付けるための開口であって、紙幣挿入口２５から挿入された紙幣は、外扉２の背面内側に配設したビルバリデータ（紙幣処理装置）３２に収容されるようになっている。一体型表示器２６は、販売中、釣り銭切れ、準備中、お札中止のほか投入金額等の各種情報を表示するためのものである。返却レバー２７は、取引の中断を指示するためのものであって、返却レバー２７が操作されると、取引が中断され、釣り銭等を返却口２８に放出するようになっている。
【００３０】
また、図１に示すように、外扉２の下方となる位置には、取出口２９が設けてある。取出口２９は、商品収納ラック５から搬出された商品を取り出すための開口である。
【００３１】
また、本体キャビネット１と外扉２との間には、ドアスイッチ３３が設けてあり、外扉２が開放されたか閉塞されたかを検出できるようになっている（図３参照）。
【００３２】
図３に示すように、上述したコインメカニズム３１、ビルバリデータ３２は、ＶＴＳ共通バスライン３０を介してメインコントロールボックス（主制御部）４０に接続してあり、一体型表示器２６、選択ボタン２３、本体スレーブボックス３４は、ＩＳＳライン２０を介してメインコントロールボックス４０に接続してある。また、ＶＴＳ共通バスライン３０には、各種データを印字するプリンタ３５が接続してある。
【００３３】
コインメカニズム３１は、各種硬貨の投入枚数を整理し、メインコントロールボックス４０に送信する一方、メインコントロールボックス４０からの指令に従い、各種硬貨を払い出すようになっている。
【００３４】
ビルバリデータ３２は、紙幣の投入枚数を整理し、メインコントロールボックス４０に送信する一方、メインコントロールボックス４０からの指令に従い、紙幣を払い出すようになっている。
【００３５】
メインコントロールボックス４０は、制御部４１、設定記憶部４２、売上処理部４３、時計部４４のほか、期限設定記憶部４５を有している。制御部４１は、一体型表示器２６、コインメカニズム３１、ビルバリデータ３２、選択ボタン２３、本体スレーブボックス３４、プリンタ３５等の各スレーブの制御を集中管理するもので、設定記憶部４２に記憶された各種設定データに基づいて各スレーブを制御するようになっている。
【００３６】
設定記憶部４２に記憶される設定は、たとえば、選択ボタン２３に関連付けられるコラム、コラムに関連付けられるラック、であり、一つの選択ボタン２３に複数のコラムを関連付けることもできれば、複数の選択ボタン２３に一つのコラムを関連付けることもできるようになっている。また、一つのコラムに関連付けられるラックは一つに限られるものではなく、売れ筋商品などは、一つのコラムに複数のラックを関連付けることもできるようになっている（ＯＣＭ）。なお、このように、一つのコラムに複数のラックを関連付けた場合には、関連付けられたラックから交互に商品が販売されるようになっている。
【００３７】
売上処理部４３は、各種売上データの演算処理を行うとともに、その結果を記憶するようになっている。
【００３８】
時計部４４は、時刻を計時する部分であり、現在の日時（年月日）に変換するようになっている。時計部は、たとえば、時計ＩＣ等で構成されている。
【００３９】
期限設定記憶部４５は、コラムに収納された商品の品質保持期限（賞味期限あるいは消費期限）を個別に記憶する部分であり、商品の品質保持期限をコラムごとに、かつ、個別に記憶するようになっている。そして、制御部４１は、時計部４４から取得した現在の日時（年月日）と、期限設定記憶部４５に記憶された商品の品質保持期限とを比較して、商品ごとに品質保持期限が切れているか否かを判定するようになっている（期限切れ判定手段）。そして、つぎに販売する商品の品質保持期限が切れていると判定した場合には、その商品が収納されているコラムからの商品の販売を中止するようになっている。
【００４０】
また、期限設定記憶部４５は、商品ごとに期限切れ間近期間を記憶するようになっている。そして、制御部４１は、時計部４４から取得した現在の日時（年月日）から品質保持期限に至るまでの期間と、記憶された期限切れ間近期間とを比較して、商品ごとに期限切れ間近となっているか否かを判定するようになっている（期限切れ間近判定手段）。すなわち、現在の日時から品質保持期限に至るまでの期間が記憶された期限切れ間近期間よりも短ければ、期限切れ間近となっていると判定し、長ければ期限切れ間近となっていないと判定するようになっている。
【００４１】
さらに、期限設定記憶部４５は、加温する商品について商品ごとに商品の加温開始から加温による商品の劣化に至るまでの加温劣化期間を記憶するようになっている。この加温劣化期間は、日時の経過に対応して減算され、更新記憶されるようになっている。そして、制御部４１は、更新記憶された加温劣化期間が０あるいは負に至った場合に加温劣化したと判定するようになっている（加温劣化判定手段）。そして、つぎに販売する商品が加温劣化したと判定した場合には、その商品が収納されているコラムからの商品の販売を中止するようになっている。
【００４２】
さらにまた、期限設定記憶部４５は、加温劣化期間とは別に、加温による商品の劣化に至るまでの加温劣化間近期間を記憶するようになっている。そして、制御部４１は、加温劣化期間と加温劣化間近期間とを比較して、商品ごとに加温劣化間近となっているかを判定するようになっている（加温劣化間近判定手段）。すなわち、更新記憶された加温劣化期間が加温劣化間近期間よりも短ければ、加温劣化間近となっていると判定し、長ければ加温劣化間近となっていないと判定するようになっている。
【００４３】
また、制御部４１は、品質保持期限が切れた商品が収納されている商品の販売が中止され、かつ、外扉２が開放された場合に、品質保持期限が切れた商品が収納されているコラムに関連付けられた選択ボタン２３の売切ランプ（売切表示手段）を点灯させるようになっている（期限切れコラム特定手段）。
【００４４】
さらに、制御部４１は、外扉２が開放された場合に、期限切れ間近の商品と判定された商品が収納されているコラムに関連付けられた選択ボタン２３の販売可能ランプ（販売可能表示手段）を点灯させるようになっている（期限切れ間近特定手段）。
【００４５】
また、ＩＳＳライン２０には、リモコン３６のほか、期限管理リモコン５０が接続してある。
【００４６】
リモコン３６は、各種設定操作、各種売上データの確認操作を行うためのもので、リモコン３６から設定入力された設定データは、ＩＳＳライン２０を介してメインコントロールボックス４０に送信されるようになっており、メインコントロールボックス４０からＩＳＳライン２０を介して送信された確認データを受信するようになっている。
【００４７】
リモコン３６は、操作キー、冷温切替スイッチのほか、各種設定データや確認データが表示されるモニタ（液晶キャラクタディスプレイ）を備えている。
【００４８】
期限管理リモコン５０は、期限管理設定操作、期限データの確認操作を行うためのもので、期限管理リモコン５０から設定入力された期限設定データは、ＩＳＳライン２０を介してメインコントロールボックス４０に送信されるようになっており、メインコントロールボックス４０からＩＳＳライン２０を介して送信された期限データを受信するようになっている。
【００４９】
図５に示すように、期限管理リモコン５０は、各種期限設定データ、期限データのほかメニューが表示されるモニタ５１、期限切れ警告ランプ（ＬＥＤ）５２のほか、印字キー５３及び払出キー５４等の操作キーを備えている。
【００５０】
モニタ５１は、液晶キャラクタディスプレイで構成されており、たとえば、４行×１６桁のキャラクタデータが表示できるようになっている。
【００５１】
印字キー５３は、印字コマンドをメインコントロールボックス４０に送信するための操作キーであり、賞味期限印字メニューにおいて印字キー５３が操作されると、メインコントロールボックス４０に印字コマンドが送信され、メインコントロールボックス４０（制御部４１）は、図７に示すように、コラムに収納された商品のうち最も先に品質保持期限に至る商品の品質保持期限をコラムごとにプリンタに印字させるようになっている（出力手段）。
【００５２】
払出キー５４は、払出コマンドをメインコントロールボックス４０に送信するための操作キーであり、期限切れ払い出しメニューにおいて払出キー５４が操作されると、メインコントロールボックス４０に払出コマンドが送信され、メインコントロールボックス４０（制御部４１）は、品質保持期限が切れた商品が収納されているコラムから品質保持期限が切れた商品を払い出すとともに、加温により劣化したと判定された商品が収納されているコラムから加温により劣化したと判定された商品を払い出すようになっている（払出手段）。
【００５３】
また、期限切れ間近払い出しメニューにおいて払出キー５４が操作されると、メインコントロールボックス４０に払出コマンドが送信され、メインコントロールボックス４０（制御部４１）は、期限切れ間近と判定された商品が収納されているコラムから期限切れ間近と判定された商品を払い出すようになっている（払出手段）。
【００５４】
さらに、加温劣化間近払い出しメニューにおいて払出キー５４が操作されると、メインコントロールボックス４０に払出コマンドが送信され、メインコントロールボックス４０（制御部４１）は、加温劣化間近と判定された商品が収納されているコラムから加温劣化間近と判定された商品を払い出すようになっている（払出手段）。
【００５５】
また、図６に示すように、期限管理リモコン５０は、表示手段５５、表示変更手段５６、表示制御手段５７を備えている。
【００５６】
表示手段５５は、コラムに収納された商品を個別に、かつ、コラムごとにモニタ５１に表示するものであって、たとえば、図８に示すように、コラム番号、在庫数（収納された個数）とともに、コラムに収納された商品を示すマーク「○」を表示するようになっている。
【００５７】
また、表示手段５５は、コラムが複数のラックで構成されている場合に、複数のラックに収納された商品をラックごとに表示するようになっている。具体的には、コラム番号と在庫数との間にコラムが複数のラックで構成されている旨を表示するようになっている。たとえば、図８に示すように、コラム「１」が３つのラックで構成されている場合に、コラム番号と在庫数との間に「１〜３」の番号を付すことにより、コラムが複数のラックで構成されている旨を表示するようになっている。一方、コラムが１つのコラムで構成されている場合には、コラム番号と在庫数との間に「スペース」を表示するようになっている。
【００５８】
表示変更手段５６は、モニタ５１に表示された商品の表示のうち、品質保持期限が切れた商品の表示をその旨を表す表示に変更するものであり、コラムに収納された商品の品質保持期限が過ぎた場合に、たとえば、図９に示すように、品質保持期限が切れた商品の表示をその旨を表す表示「×」に変更するようになっている。
【００５９】
また、表示変更手段５６は、モニタ５１に表示された商品の表示のうち、期限切れ間近と判定された商品の表示をその旨の表示に変更するものであり、コラムに収納された商品が期限切れ間近と判定された場合に、たとえば、図９に示すように、期限切れ間近と判定された商品の表示をその旨を表す表示「！」に変更するようになっている。
【００６０】
さらに、表示変更手段５６は、モニタ５１に表示された商品の表示のうち、加温により劣化したと判定された商品の表示をその旨の表示に変更するものであり、コラムに収納された商品が加温に劣化したと判定された場合に、たとえば、図１０に示すように、加温により劣化したと判定された商品の表示をその旨を表す表示「＃」に変更するようになっている。
【００６１】
さらにまた、表示変更手段５６は、モニタ５１に表示された商品の表示のうち、加温劣化間近と判定された商品の表示をその旨の表示に変更するものであり、コラムに収納された商品が加温劣化間近と判定された場合に、たとえば、図１０に示すように、加温劣化間近と判定された商品の表示をその旨を表す表示「＄」に変更するようになっている。
【００６２】
表示制御手段５７は、品質保持期限が切れた商品が収納されているコラムの商品を優先してモニタ５１に表示するものであって、収納されている商品のすべてが品質保持期限内のコラムと、品質保持期限が切れた商品が収納されているコラムとがある場合に、まず、品質保持期限が切れた商品が収納されているコラムの商品を表示し、つぎに、収納されている商品のすべてが品質保持期限内のコラムを表示するようになっている。
【００６３】
なお、表示制御手段５７は、品質保持期限が切れた商品が収納されているコラムの商品のみをモニタ５１に表示するものであってもよい。すなわち、収納されている商品のすべてが品質保持期限内のコラムと、品質保持期限が切れた商品が収納されているコラムとがある場合に、品質保持期限が切れた商品が収納されているコラムの商品のみを表示するようにしてもよい。
【００６４】
つぎに、図８に基づいて、期限管理リモコン５０のモニタ５１に表示するコラムの表示手順を説明する。なお、図８は、期限管理リモコンのモニタに表示するコラムの表示手順を示すフローチャートである。
【００６５】
図８に示すように、まず、表示手段５５が、表示しようとするコラムナンバーを表示する（ステップＳ１）。つぎに、コラムにＯＣＭ設定の有無を判定する（ステップＳ２）。ＯＣＭ設定は、一つのコラムに複数のラックが関連付けられているか否かであり、ＯＣＭ設定がされている場合には（ステップＳ２：あり）、ラック対象数がセットされ（ステップＳ３）、ＯＣＭ設定がされていない場合には（ステップＳ２：なし）、スペースがセットされる（ステップＳ４）。
【００６６】
そして、ラックナンバーが最小（Ｍｉｎ）の場合には（ステップＳ５：＝Ｍｉｎ）、表示手段５５は、コラム番号を付加して出力（表示）し（ステップＳ６）、ラックナンバーが最小（Ｍｉｎ）でない場合には（ステップＳ５：≠Ｍｉｎ）、表示手段５５は、そのまま出力（表示）する（ステップＳ７）。そして、すべてのラックを出力（表示）するまで（ステップＳ８）、ラックナンバーを一つずつ繰り上げて（ステップＳ９）、ステップＳ５〜ステップＳ７のステップを繰り返す。
【００６７】
つぎに、図８に基づいて、期限管理リモコン５０のモニタ５１に表示された商品表示の変更手順を説明する。なお、図８は、期限管理リモコンのモニタに表示された商品表示の変更手順を示すフローチャートである。
【００６８】
図８に示すように、期限切れ、期限切れ間近商品の商品表示の変更を開始すると、制御部４１は、時計部４４から現在時刻を取得する（ステップＳ１１）。つぎに、データ比較処理に移行し、制御部４１は、一の商品について現在時刻から品質保持期限に至るまでの期間と設定した期限切れ間近期間とを比較する（ステップＳ１２）。現在時刻から品質保持期限に至るまでの期間が設定した期限切れ間近期間よりも短い場合には（ステップＳ１３：Ｙｅｓ）、当該一の商品について品質保持期限と現在時刻とを比較して、品質保持期限が切れているか否かを判定する（ステップＳ１４）。当該一の商品の品質保持期限が切れている場合には（ステップＳ１４：Ｙｅｓ）、当該一の商品が収納されているコラムからの販売を中止する（ステップＳ１５）。そして、表示変更手段５６は、当該一の商品の表示を「○」から「×」に変更する（ステップＳ１６）。
【００６９】
一方、当該一の商品の品質保持期限が切れていない場合には（ステップＳ１４：Ｎｏ）、当該一の商品は期限切れ間近と判定されたことになるから、表示変更手段５６は、当該一の商品の表示を「○」から「！」に変更する（ステップＳ１７）。
【００７０】
他方、現在時刻から品質保持期限に至るまでの期間が設定した期限切れ間近期間よりも長い場合には（ステップＳ１３：Ｎｏ）、当該一の商品は、品質保持期限まで十分な期間があることになるから当該一の商品の表示をそのままにして、つぎの一の商品についてのデータ比較処理に移行する（ステップＳ１２）。
【００７１】
つぎに、図１０に基づいて、期限管理リモコン５０のモニタ５１に表示された商品表示の変更手順を説明する。なお、図９は、期限管理リモコンのモニタに表示された商品表示の変更手順を示すフローチャートである。
【００７２】
図１０に示すように、加温劣化、加温劣化間近商品の商品表示の変更を開始すると、データ比較処理に移行し、制御部４１は、一の商品について更新記憶された加温劣化期間と記憶してある加温劣化間近期間とを比較する（ステップＳ２１）。更新記憶された加温劣化期間が記憶してある加温劣化間近期間よりも短い場合には（ステップＳ２２：Ｙｅｓ）、当該一の商品の加温劣化期間が正の値になっているか確認して、加温劣化しているかを判定する（ステップＳ２３）。当該一の商品が加温劣化している（更新記憶された加温劣化期間が０あるいは負の値）と判定された場合には（ステップＳ２３；Ｙｅｓ）、当該一の商品が収納されているコラムからの販売を中止する（ステップＳ２４）。そして、表示変更手段５６は、当該一の商品の表示を「○」から「＃」に変更する（ステップＳ２５）。
【００７３】
一方、当該一の商品が加温劣化していない（更新記憶された加温劣化期間が正の値）と判定された場合には（ステップＳ２３：Ｎｏ）、当該一の商品は加温劣化間近と判定されたことになるから、表示変更手段５６は、当該一の商品の表示を「○」から「＄」に変更する（ステップＳ２６）。
【００７４】
他方、更新記憶された加温劣化期間が記憶してある加温劣化期間よりも長い場合には（ステップＳ２２：Ｎｏ）、当該一の商品は、加温劣化するまで十分な時間があることになるから当該一の商品の表示をそのままにして、つぎの一の商品についてのデータ比較処理に移行する（ステップＳ２１）。
【００７５】
つぎに、図１１に基づいて、期限管理リモコン５０のモニタ５１に表示するコラムの優先表示手順を説明する。なお、図１０は、期限管理リモコンのモニタに表示するコラムの優先表示手順を示すフローチャートである。
【００７６】
図１１に示すように、期限切れ、加温劣化商品の優先表示を開始すると、まず、制御部４１は、品質保持期限切れとなった商品があるか判定する（ステップＳ３１）。そして、品質保持期限切れとなった商品がある場合には（ステップＳ３１：Ｙｅｓ）、表示制御手段５７が賞味期限切れ表示コラムに当該商品が収納されているコラムを追加する（ステップＳ３２）。一方、品質保持期限切れとなった商品がない場合には（ステップＳ３２：Ｎｏ）、つぎのステップに移行する。
【００７７】
つぎに、制御部４１は、加温により劣化したと判定された商品があるか判定する（ステップＳ３３）。そして、加温により劣化したと判定された商品がある場合には（ステップＳ３３：Ｙｅｓ）、表示制御手段５７が加温劣化表示コラムに当該商品が収納されているコラムを追加する（ステップＳ３４）。
【００７８】
そして、賞味期限切れ表示コラム、加温劣化表示コラムに追加されたコラムは、図１１に示すように、賞味期限切れ表示コラム、加温劣化表示コラムの順に優先表示されることになる。
【００７９】
つぎに、図１２に基づいて、期限切れ商品の払出手順を説明する。なお、図１２は、期限切れ商品の払出手順を示すフローチャートである。
【００８０】
品質保持期限が切れた商品がラックに収納されている場合に（ステップＳ４１：あり）、期限管理リモコン５０から払出キー５４が操作されると（ステップＳ４２：あり、ステップＳ４３：選択）、払出設定が可能になる（ステップＳ４４）。
【００８１】
ここで、コラム別が設定されると（ステップＳ４４：コラム別）、該当するコラムナンバー（品質保持期間切れとなっている商品が収納されているコラムのコラムナンバー）、該当する商品数（品質保持期限切れとなっている商品数）がセットされ（ステップＳ４５、ステップＳ４６）、該当するコラムナンバーのコラムから該当する商品数の商品が払い出される（ステップＳ４７〜Ｓ４９）。
【００８２】
一方、全コラムが設定されると（ステップＳ４４：全コラム）、コラムナンバー１から順番に品質保持期限切れとなっている商品が払い出される（ステップＳ５１〜Ｓ５８）。
【００８３】
つぎに、図１３に基づいて、期限切れ商品及び期限切れ間近商品の払出手順を説明する。なお、図１３は、期限切れ商品及び期限切れ間近商品の払出手順を示すフローチャートである。
【００８４】
品質保持期限が切れた商品及び期限切れ間近商品がラックに収納されている場合に（ステップＳ６１：あり）、期限管理リモコン５０から払出キー５４が操作されると（ステップＳ６２：あり、ステップＳ６３：選択）、期限切れ間近と判定された商品があるかないかが判定される（ステップＳ６４）。
【００８５】
そして、期限切れ間近商品払出設定がされている場合には（ステップＳ６５：Ｙｅｓ）、該当するコラムナンバー（期限切れ間近と判定された商品が収納されているコラムのコラムナンバー）、該当する商品数（期限切れ間近と判定された商品数）がセットされ（ステップＳ６６、ステップＳ６７）、該当するコラムナンバーのコラムから該当する商品数の商品が払い出される（ステップＳ６８〜Ｓ７０）。
【００８６】
上述した実施の形態である自動販売機によれば、コラムとラックとの関係がわかるようにコラムに収納された商品を期限管理リモコン５０のモニタ５１に個別に表示するので、一つのコラムに複数のラックが関連付けられている場合（ＯＣＭ設定されている場合）であっても、商品の収納状況を容易に確認することができる。
【００８７】
また、期限管理リモコン５０のモニタ５１に表示された商品の表示（○）のうち、品質保持期限が切れた商品の表示をその旨を表す表示（×）に変更するので、品質保持期限が切れた商品の収納状況を確認することができる。
【００８８】
さらに、期限管理リモコン５０のモニタ５１に表示された商品の表示（○）のうち、期限切れ間近と判定された商品の表示をその旨を表す表示（！）に変更するので、期限切れ間近と判定された商品の収納状況を確認することができる。
【００８９】
また、期限管理リモコン５０のモニタ５１に表示された商品の表示（○）のうち、加温により劣化したと判定された商品の表示をその旨を表す表示（＃）に変更するので、加温により劣化したと判定された商品の収納状況を確認することができる。
【００９０】
さらに、期限管理リモコン５０のモニタ５１に表示された商品の表示（○）のうち、加温により劣化間近と判定された商品の表示をその旨を表す表示（＄）に変更するので、加温により劣化間近と判定された商品の収納状況を確認することができる。
【００９１】
また、コラムに収納された商品のうち最も先に品質保持期限に至る商品の品質保持期限をコラムごとにプリンタ３５に出力するので、商品の補充等するオペレータは、コラムに収納された商品のうち最も先に品質保持期限が切れる商品の品質保持期限をコラムごとに知ることができる。
【００９２】
また、品質保持期限が切れた商品がコラムに収納されている場合に、外扉２を開放すれば、品質保持期限が切れた商品が収納されているコラムに関連付けられた選択ボタン２３の売切ランプが点灯するので、商品の補充等するオペレータは、売切ランプと対応する商品（見本）の品質保持期限が切れていることを知ることができる。
【００９３】
さらに、期限切れ間近の商品と判定された商品がコラムに収納されている場合に外扉２を開放すれば、期限切れ間近の商品と判定された商品が収納されているコラムに関連づけられた選択ボタン２３の販売可能ランプが点灯するので、商品の補充等するオペレータは、販売可能ランプと対応する商品（見本）が期限切れ間近となっていることを知ることができる。
【図面の簡単な説明】
【００９４】
【図１】自動販売機の正面図である。
【図２】外扉と内扉とを開放した状態を示す自動販売機の斜視図である。
【図３】図１及び図２に示した自動販売機の構成を示すブロック図である。
【図４】主制御部の構成を示すブロック図である。
【図５】図４に示した期限管理リモコンの正面図である。
【図６】期限管理リモコンの構成を示すブロック図である。
【図７】賞味期限の出力例を示す図である。
【図８】期限管理リモコンのモニタに表示するコラムの表示手順を示すフローチャートである。
【図９】期限管理リモコンのモニタに表示された商品表示の変更手順を示すフローチャートである。
【図１０】期限管理リモコンのモニタに表示された商品表示の変更手順を示すフローチャートである。
【図１１】期限管理リモコンのモニタに表示するコラムの優先表示手順を示すフローチャートである。
【図１２】期限切れ商品の払出手順を示すフローチャートである。
【図１３】期限切れ商品及び期限切れ間近商品の払出手順を示すフローチャートである。
【符号の説明】
【００９５】
２    外扉
５    商品収納ラック
２０    ＩＳＳライン
２３    選択ボタン
３０    ＶＴＳ共通バスライン
３３    ドアスイッチ
３４    本体スレーブボックス
３５    プリンタ
３６    リモコン
４０    メインコントロールボックス
４１    制御部
４２    設定記憶部
４３    売上処理部
４４    時計部
４５    期限設定記憶部
５０    期限管理リモコン
５１    モニタ
５２    期限切れ警告ランプ
５３    印字キー
５４    払出キー
５５    表示手段
５６    表示変更手段
５７    表示制御手段
Ｄ    商品見本
【図１】
2010055553.tif 000003
【図２】
2010055553.tif 000004
【図３】
2010055553.tif 000005
【図４】
2010055553.tif 000006
【図５】
2010055553.tif 000007
【図６】
2010055553.tif 000008
【図７】
2010055553.tif 000009
【図８】
2010055553.tif 000010
【図９】
2010055553.tif 000011
【図１０】
2010055553.tif 000012
【図１１】
2010055553.tif 000013
【図１２】
2010055553.tif 000014
【図１３】
2010055553.tif 000015